(57)【要約】【課題】一覧性に優れた情報処理装置を提供する。または、可搬性に優れた情報処理装置を提供する。【解決手段】展開および折り畳むことができる表示部並びにその状態を検知して折り畳み情報を供給することができる検知部を備える入出力装置と、折り畳み情報に応じて異なる処理を実行させるプログラムを記憶する演算装置と、を有する情報処理装置の構成に想到した。【選択図】図１
2019175480.tif 000002
【特許請求の範囲】
【請求項１】
第１の面及び前記第１の面に対向する第２の面を備えた連結筐体と、
第１の面が前記連結筐体の第１の面に向き合う位置から、前記第１の面に対向する第２の面が前記連結筐体の第２の面に向き合う位置まで回動可能に、前記連結筐体と接続された第１の筐体と、
第１の面が前記連結筐体の第１の面に向き合う位置から、前記第１の面に対向する第２の面が前記連結筐体の第２の面に向き合う位置まで回動可能に、前記連結筐体と接続された第２の筐体と、
前記連結筐体に設けられた第１のセンサと、
前記第１の筐体に設けられた第２のセンサと、を有し、
を有し、
前記連結筐体、前記第１の筐体、及び前記第２の筐体は、可撓性を有する表示部を折り畳み可能に支持し、
前記第２の筐体は、前記第２の面に標識を備え、
前記第２のセンサは、前記第１の筐体の第２の面が前記連結筐体の第２の面と向き合うように折り畳まれ、かつ、前記第１の筐体を介して前記第２の筐体の第２の面が前記連結筐体の前記第２の面と向き合うように折り畳まれているとき、前記標識を検知する機能を有し、
前記第２のセンサは、前記第２の筐体の第１の面が前記連結筐体の第１の面と向き合うように折り畳まれ、かつ、前記第２の筐体を介して前記第１の筐体の第１の面が前記連結筐体の前記第１の面と向き合うように折り畳まれているとき、前記標識を検知する機能を有する情報処理装置。
【発明の詳細な説明】
【技術分野】
【０００１】
本発明は、物、方法、または、製造方法に関する。または、本発明は、プロセス、マシン
、マニュファクチャ、または、組成物（コンポジション・オブ・マター）に関する。特に
、本発明は、例えば、ヒューマンインターフェース、半導体装置、表示装置、発光装置、
蓄電装置、それらの駆動方法、または、それらの製造方法に関する。特に、本発明は、例
えば、画像情報の処理および表示方法、プログラムおよびプログラムが記録された記録媒
体を有する装置に関する。特に、本発明は、例えば、表示部を備える情報処理装置に処理
された情報を含む画像を表示する画像情報の処理、表示方法および表示部を備える情報処
理装置に処理された情報を含む画像を表示させるプログラム並びに当該プログラムが記録
された記録媒体を有する情報処理装置に関する。
【背景技術】
【０００２】
情報伝達手段に係る社会基盤が充実されている。これにより、多様で潤沢な情報を職場や
自宅だけでなく外出先でも情報処理装置を用いて取得、加工または発信できるようになっ
ている。
【０００３】
このような背景において、携帯可能な情報処理装置が盛んに開発されている。
【０００４】
例えば、携帯可能な情報処理装置は屋外で使用されることが多く、落下により思わぬ力が
情報処理装置およびそれに用いられる表示装置に加わることがある。破壊されにくい表示
装置の一例として、発光層を分離する構造体と第２の電極層との密着性が高められた構成
が知られている（特許文献１）。
【０００５】
また、電子デバイスの第１の部分に結合された第１のセンサから第１の加速度データを受
信する機能を含むマルチパネル電子デバイスが知られている。また、電子デバイスの第２
の部分に結合された第２のセンサから第２の加速度データを受信する機能をさらに含み、
第１の部分の位置は第２の部分の位置に対して可動であるマルチパネル電子デバイスが知
られている。また、第１の加速度データと第２の加速度データとに少なくとも部分的に基
づいて電子デバイスの構成を判断する機能をさらに含むマルチパネル電子デバイスが知ら
れている（特許文献２）。
【先行技術文献】
【特許文献】
【０００６】
【特許文献１】特開２０１２−１９０７９４号公報
【特許文献２】特開２０１２−５０２３７２号公報
【発明の概要】
【発明が解決しようとする課題】
【０００７】
大きな画面を備え、多くの情報を表示することができる表示装置は一覧性に優れる。よっ
て、情報処理装置に好適である。
【０００８】
一方で、大きな画面を備える表示装置は小さな画面を備えるものに比べて可搬性が劣る。
【０００９】
本発明の一態様は、このような技術的背景のもとでなされたものである。したがって、一
覧性に優れた情報処理装置を提供することを課題の一とする。または、可搬性に優れた情
報処理装置を提供することを課題の一とする。
【００１０】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１１】
本発明の一態様は、折り畳み情報を供給し、画像情報が供給される入出力装置と、折り畳
み情報が供給され、画像情報を供給する演算装置と、を有する情報処理装置である。そし
て、入出力装置は、展開された状態または２以上の異なる折り畳まれた状態にすることが
できる表示部および表示部の状態を検知して折り畳み情報を供給することができる検知部
を備える。また、その演算装置は、演算部および演算部に処理を実行させるプログラムを
記憶する記憶部を備える。また、プログラムは、折り畳み情報に応じて異なる処理を演算
部に実行させる。
【００１２】
また、本発明の一態様の情報処理装置が記憶するプログラムは、折り畳まれた状態を折り
畳み情報に基づいて特定する第１のステップと、折り畳まれた状態に割り当てられた処理
用アプリケーションをロードする第２のステップと、割り込み処理を許可する第３のステ
ップと、割り込み処理を実行し、且つ情報を処理する第４のステップと、終了命令が供給
される場合は第６のステップに進み、終了命令が供給されない場合は第１のステップに進
む第５のステップと、終了する第６のステップと、を有する。そして、割り込み処理が、
折り畳まれた状態を折り畳み情報に基づいて特定する第７のステップと、折り畳まれた状
態が変化した場合は第９のステップに進み、折り畳まれた状態が変化していない場合は第
１０のステップに進む第８のステップと、アプリケーションを終了する第９のステップと
、割り込み処理から復帰する第１０のステップと、を備える。
【００１３】
上記本発明の一態様の情報処理装置は、展開および折り畳むことができる表示部並びにそ
の状態を検知して折り畳み情報を供給することができる検知部を備える入出力装置と、折
り畳み情報に応じて異なる処理を実行させるプログラムを記憶する演算装置と、を含んで
構成される。これにより、一覧性に優れた情報処理装置を提供することができる。または
、可搬性に優れた情報処理装置を提供することができる。
【００１４】
また、本発明の一態様は、第１の面および第１の面に対向する第２の面を備える連結筐体
と、連結筐体の第１の面に近接することができる第１の標識および第２の標識並びに第２
の面に近接することができる第３の標識および第４の標識を識別する検知部と、第１の面
が連結筐体の第１の面に向き合う位置から、第１の面に対向する第２の面が連結筐体の第
２の面に向き合う位置まで回動可能に、連結筐体と接続される第１の筐体と、第１の面が
連結筐体の第１の面に向き合う位置から、第１の面に対向する第２の面が連結筐体の第２
の面に向き合う位置まで回動可能に、連結筐体と接続される第２の筐体と、を有する情報
処理装置である。そして、連結筐体、第１の筐体および第２の筐体は、可撓性を有する表
示部を折り畳み可能に支持し、第１の筐体は、第１の標識を第１の面に、第３の標識を第
２の面に備え、第２の筐体は、第２の標識を第１の面に、第４の標識を第２の面に備える
。
【００１５】
また、本発明の一態様は、第２の筐体は、第５の標識を第１の面に、第６の標識を第２の
面に備え、検知部が、第１の筐体の第１の面に近接する第６の標識並びに第１の筐体の第
２の面に近接する第５の標識を識別する上記の情報処理装置である。
【００１６】
上記本発明の一態様の情報処理装置は、展開および折り畳むことができる表示部並びにそ
の状態を検知して折り畳み情報を供給することができる検知部を備える。これにより、一
覧性に優れた情報処理装置を提供することができる。または、可搬性に優れた情報処理装
置を提供することができる。
【発明の効果】
【００１７】
本発明の一態様によれば、一覧性に優れた情報処理装置を提供できる。または、可搬性に
優れた情報処理装置を提供できる。
【図面の簡単な説明】
【００１８】
【図１】実施の形態に係る情報処理装置の構成を説明するブロック図および模式図。
【図２】実施の形態に係る情報処理装置の演算部に実行させるプログラムを説明するフロー図。
【図３】実施の形態に係る情報処理装置の表示部の、２以上の異なる折り畳まれた状態を説明する模式図。
【図４】実施の形態に係る情報処理装置の展開された状態を説明する図。
【図５】実施の形態に係る情報処理装置の二つ折りにされた状態を説明する図。
【図６】実施の形態に係る情報処理装置の二つ折りにされた状態を説明する図。
【図７】実施の形態に係る情報処理装置の三つ折りにされた状態を説明する図。
【図８】実施の形態に係る情報処理装置に適用することができる入出力装置の構成を説明する図。
【図９】実施の形態に係る情報処理装置に適用することができる入出力装置の構成を説明する図。
【図１０】実施の形態に係る情報処理装置に適用することができる入出力装置の構成を説明する図。
【発明を実施するための形態】
【００１９】
以下に説明する実施の形態には、２以上の異なる折り畳まれた状態にすることができる表
示部と、折り畳まれた状態を検知する検知部を備える入出力装置に着眼して創作された本
発明の一態様が含まれる。
【００２０】
本発明の一態様の情報処理装置は、展開および折り畳むことができる表示部並びにその状
態を検知して折り畳み情報を供給することができる検知部を備える入出力装置と、折り畳
み情報に応じて異なる処理を実行させるプログラムを記憶する演算装置と、を含む。
【００２１】
上記本発明の一態様の情報処理装置によれば、折り畳まれた状態に応じて、異なる処理を
演算装置に実行させることができる。これにより、一覧性に優れた情報処理装置を提供す
ることができる。または、可搬性に優れた情報処理装置を提供することができる。
【００２２】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００２３】
（実施の形態１）
本実施の形態では、本発明の一態様の情報処理装置の構成について、図１および図２を参
照しながら説明する。
【００２４】
図１（Ａ）は本発明の一態様の情報処理装置１００の構成を説明するブロック図である。
【００２５】
図１（Ｂ−１）および図１（Ｂ−２）は、本発明の一態様の情報処理装置１００の構成を
説明する模式図である。
【００２６】
図１（Ｃ−１）および図１（Ｃ−２）は、本発明の一態様の情報処理装置１００が折り畳
まれる動作を説明する模式図である。
【００２７】
図２は本発明の一態様の情報処理装置１００の演算部に実行させるプログラムを説明する
フロー図である。図２（Ａ）は、主要な処理を説明するフロー図であり、図２（Ｂ）は、
割り込み処理を説明するフロー図である。
【００２８】
本実施の形態で説明する情報処理装置１００は、折り畳み情報ＳＥＮＳを供給し、画像情
報ＶＩＤＥＯが供給される入出力装置１２０と、折り畳み情報ＳＥＮＳが供給され、画像
情報ＶＩＤＥＯを供給する演算装置１１０と、を有する（図１（Ａ）参照）。
【００２９】
入出力装置１２０は、展開された状態または２以上の異なる折り畳まれた状態にすること
ができる表示部１２２および表示部１２２の状態を検知して折り畳み情報ＳＥＮＳを供給
することができる検知部１２３を備える。
【００３０】
演算装置１１０は、演算部１１１および演算部１１１に処理を実行させるプログラムを記
憶する記憶部１１２を備え、当該プログラムは、折り畳み情報ＳＥＮＳに応じて異なる処
理を演算部１１１に実行させる。
【００３１】
本実施の形態で説明する情報処理装置１００は、展開および折り畳むことができる表示部
１２２並びにその状態を検知して折り畳み情報ＳＥＮＳを供給することができる検知部１
２３を備える入出力装置１２０と、折り畳み情報ＳＥＮＳに応じて異なる処理を実行させ
るプログラムを記憶する演算装置１１０と、を含んで構成される。これにより、表示部１
２２を展開して用いることができる。その結果、一覧性に優れた情報処理装置を提供する
ことができる。または、表示部１２２を折り畳むことができる。その結果、可搬性に優れ
た情報処理装置を提供することができる。
【００３２】
なお、本実施の形態で例示して説明する演算装置１１０は、入出力インターフェース１１
５および伝送路１１４を備える（図１（Ａ）参照）。
【００３３】
入出力インターフェース１１５は、情報を入出力装置１２０に供給することができ、入出
力装置１２０から情報が供給される。
【００３４】
伝送路１１４は、情報を演算部１１１、記憶部１１２および入出力インターフェース１１
５に供給することができる。また、演算部１１１、記憶部１１２および入出力インターフ
ェース１１５は、情報を伝送路１１４に供給することができる。
【００３５】
入出力装置１２０は、入力手段１２１、標識１２９および通信部１２５等を備える。
【００３６】
入力手段１２１は、終了命令を含む操作命令ＩＮＰＵＴ等を供給することができる。なお
、終了命令はプログラムを終了する命令である。
【００３７】
標識１２９は、表示部１２２の近傍に配置され、検知部１２３を用いて検知される。これ
により、表示部の折り畳まれた状態を知ることができる。
【００３８】
なお、これらの構成は明確に分離できず、一つの構成が他の構成を兼ねる場合や他の構成
の一部を含む場合がある。例えば、表示部およびタッチセンサが重ねられたタッチパネル
は、表示部１２２であるとともに入力手段１２１でもある。
【００３９】
また、本実施の形態で例示して説明する情報処理装置１００は、以下のステップを含むプ
ログラムを記憶する記憶部１１２を備える（図２参照）。
【００４０】
《プログラム》
第１のステップにおいて、表示部１２２の折り畳まれた状態を折り畳み情報ＳＥＮＳから
特定する（図２（Ａ）（Ｓ１）参照）。
【００４１】
折り畳み情報ＳＥＮＳから表示部１２２の折り畳まれた状態を特定する方法については、
実施の形態２で詳細に説明する。
【００４２】
第２のステップにおいて、折り畳まれた状態に割り当てられた処理用アプリケーションを
ロードする（図２（Ａ）（Ｓ２）参照）。
【００４３】
なお、折り畳まれた状態に割り当てる処理用のアプリケーションとしては、例えば、情報
処理装置を、電子書籍の閲覧、音楽の再生、放送または動画の閲覧、ゲーム、カメラ等に
用いるためのアプリケーションを挙げることができる。
【００４４】
第３のステップにおいて、割り込み処理を許可する（図２（Ａ）（Ｓ３）参照）。
【００４５】
第４のステップにおいて、割り込み処理を実行し、且つ所定の情報を処理する（図２（Ａ
）（Ｓ４）参照）。
【００４６】
なお、第４のステップでする情報の処理としては、例えば、記憶部１１２にある情報を入
出力装置１２０に出力する処理等を挙げることができる。具体的には、記憶部１１２に圧
縮されて記憶された画像情報を伸張して表示部１２２に表示する処理、圧縮されて記憶さ
れた音声情報を伸張してスピーカ等に出力する処理、文字情報をレイアウト情報に基づい
て調整して表示する処理などが挙げられる。
【００４７】
第５のステップにおいて、終了命令が供給される場合は第６のステップに進み、終了命令
が供給されない場合は第１のステップに進む（図２（Ａ）（Ｓ５）参照）。
【００４８】
第６のステップにおいて、終了する（図２（Ａ）（Ｓ６）参照）。
【００４９】
割り込み処理について説明する（図２（Ｂ）参照）。なお、割り込み処理が許可された演
算部は、割り込み処理についての実行命令を受けつけることができる。そして、割り込み
処理についての実行命令を受けつけた演算部は、主の処理を中断し、割り込み処理を実行
する。例えば、割り込み処理についての実行命令に関連付けられたイベントを供給された
演算部は、割り込み処理を実行し、実行結果を記憶部に格納する。その後、割り込み処理
から主の処理に復帰した演算部は、主の処理を、割り込み処理の実行結果に基づいて再開
することができる。
【００５０】
割り込み処理は、第７のステップにおいて、折り畳まれた状態を折り畳み情報ＳＥＮＳか
ら特定する（図２（Ｂ）（Ｔ７）参照）。
【００５１】
第８のステップにおいて、折り畳まれた状態が変化した場合は第９のステップに進み、折
り畳まれた状態が変化していない場合は第１０のステップに進む（図２（Ｂ）（Ｔ８）参
照）。
【００５２】
なお、折り畳まれた状態の変化は、第１のステップにおいて特定された折り畳まれた状態
と比較することにより判断することができる。
【００５３】
第９のステップにおいて、アプリケーションを終了する（図２（Ｂ）（Ｔ９）参照）。
【００５４】
第１０のステップにおいて、割り込み処理から復帰する（図２（Ｂ）（Ｔ１０）参照）。
【００５５】
以下に、本発明の一態様の情報処理装置１００を構成する個々の要素について説明する。
【００５６】
《入出力装置》
入出力装置１２０は、入出力インターフェース１１５を介して伝送路１１４に接続される
。入出力装置１２０は外部の情報を情報処理装置１００に供給することができる。また、
情報処理装置１００の内部の情報を外部に供給することができる。
【００５７】
《検知部および標識》
検知部１２３は、少なくとも表示部１２２の折り畳まれた状態を検知して折り畳み情報Ｓ
ＥＮＳを供給する。
【００５８】
検知部１２３は、表示部１２２の近傍に配置された標識１２９を検知するセンサを備える
。これにより、検知部１２３は、表示部１２２の折り畳まれた状態に応じた折り畳み信号
を供給することができる。
【００５９】
標識１２９に用いることができるものは、例えば、突起物等の物の形状や配置、光、電波
または磁力等の電磁波等を挙げることができる。具体的には、異なる極性（例えば磁石の
Ｓ極とＮ極）を有するもの、異なる信号（例えば異なる方法で変調された電磁波）を有す
るもの等が挙げられる。
【００６０】
検知部１２３に用いることができるセンサは、標識１２９を識別できるものを選択して用
いる。
【００６１】
具体的には、標識１２９に形状または配置が異なる構造（例えば突起物）を用いる場合は
、その構造を識別できるように異なる形状または配置を備える開閉器等をセンサに用いる
ことができる。または、標識１２９に光を用いる場合は、光電変換素子等をセンサに用い
ることができる。または、標識１２９に電波を用いる場合は、アンテナ等をセンサに用い
ることができる。または、標識１２９に磁力を用いる場合は、磁気センサ等をセンサに用
いることができる。
【００６２】
標識を検知したセンサが供給する信号から、表示部１２２の折り畳まれた状態を特定する
方法については、実施の形態２で詳細に説明する。
【００６３】
なお、検知部１２３は、加速度、方位、ＧＰＳ（Ｇｌｏｂａｌ  ｐｏｓｉｔｉｏｎｉｎｇ
Ｓｙｓｔｅｍ）信号、温度または湿度等を検知して、その情報を供給してもよい。
【００６４】
《入力手段》
入力手段１２１として、さまざまなヒューマンインターフェース等を用いることができる
。具体的には、キーボード、マウス、タッチセンサ、マイクまたはカメラ等を用いること
ができる。特に、ポインタを用いる操作命令の供給方法は、直感的な操作を可能にするた
め便利である。
【００６５】
例えば、表示部に重ねて一体に設けられた入力手段１２１にタッチパネルを適用する場合
、情報処理装置１００の使用者は、タッチパネルに触れた指をポインタに用いてするジェ
スチャー（タップ、ドラッグ、スワイプまたはピンチイン等）で、終了命令を含む操作命
令ＩＮＰＵＴ等を入力することができる。
【００６６】
《表示部》
表示部１２２は可撓性を有する。表示部１２２は可撓性を有するため、折り畳むことがで
きる。
【００６７】
表示部１２２が平面状に広げられた状態の第１の面（表面ともいう）を図１（Ｂ−１）に
示す。第１の面に対向する第２の面（裏面ともいう）を図１（Ｂ−２）に示す。
【００６８】
表示部１２２が折り畳まれた状態を図１（Ｃ−１）および図１（Ｃ−２）に示す。
【００６９】
なお、本実施の形態に適用することができる可撓性を有する表示部の構成については、実
施の形態４または実施の形態５で詳細に説明する。
【００７０】
なお、本実施の形態で説明する情報処理装置１００は、３つに折り畳むことができる表示
部１２２を備えるがこれに限られない。具体的には、表示部は、２つに折り畳むことがで
きる構成であっても、４つ以上に折り畳むことができる構成であってもよい。折り畳むこ
とができる数が多いほど、一覧性に優れた情報処理装置を提供することができる。または
、可搬性に優れた情報処理装置を提供することができる。
【００７１】
《通信部》
通信部１２５は、外部のネットワークと情報処理装置１００を接続する。情報処理装置１
００は、情報ＣＯＭを外部から取得、または外部に供給することができる。具体的には、
ネットワーク接続機器またはモデム等を通信部１２５に用いることができる。
【００７２】
《その他》
入出力装置１２０として、例えばカメラ、マイク、読み取り専用の外部記憶部、外部記憶
部、通信機器、スキャナー、スピーカ、プリンタ等を用いることができる。
【００７３】
具体的には、カメラとして、デジタルカメラ、デジタルビデオカメラ等を用いることがで
きる。
【００７４】
外部記憶部としては、ハードディスク、リムーバブルメモリなどを用いることができる。
また、読み取り専用の外部記憶部としては、ＣＤＲＯＭ、ＤＶＤＲＯＭなどを用いること
ができる。
【００７５】
なお、本実施の形態は、本明細書で示す他の実施の形態と適宜組み合わせることができる
。
【００７６】
（実施の形態２）
本実施の形態では、本発明の一態様の情報処理装置の構成について、図１および図３を参
照しながら説明する。
【００７７】
具体的には、折り畳み可能な表示部１２２と、表示部１２２を支持する折り畳み可能な筐
体と、筐体に配置された標識１２９と、標識１２９を検知する検知部１２３と、を有する
情報処理装置１００について説明する。また、情報処理装置１００の折り畳まれた状態に
応じて検知部１２３が供給する折り畳み信号について、説明する。
【００７８】
図３は、本発明の一態様の情報処理装置１００の表示部１２２およびそれを支持する筐体
が折り畳まれた状態を説明する模式図である。具体的には、展開された状態と１０種類の
異なる折り畳まれた状態を説明する模式図である。
【００７９】
本実施の形態で説明する情報処理装置１００は、第１の面（表面ともいう。図１（Ｂ−１
）参照）および第１の面に対向する第２の面（裏面ともいう。図１（Ｂ−２）参照）を備
える連結筐体Ｃを有する。
【００８０】
また、情報処理装置１００は、連結筐体Ｃの第１の面に近接することができる第１の標識
１２９（１）および第２の標識１２９（２）並びに第２の面に近接することができる第３
の標識１２９（３）および第４の標識１２９（４）を識別する検知部１２３を有する。な
お、検知部１２３は、センサ１２３Ｌを含む。
【００８１】
また、情報処理装置１００は、第１の面が連結筐体Ｃの第１の面に向き合う位置から第１
の面に対向する第２の面が連結筐体Ｃの第２の面に向き合う位置まで回動可能に、連結筐
体Ｃと接続される第１の筐体Ｌを有する（図１（Ｃ−１）参照）。
【００８２】
また、情報処理装置１００は、第１の面が連結筐体Ｃの第１の面に向き合う位置から第１
の面に対向する第２の面が連結筐体Ｃの第２の面に向き合う位置まで回動可能に、連結筐
体Ｃと接続される第２の筐体Ｒを有する（図１（Ｃ−２）参照）。
【００８３】
また、連結筐体Ｃ、第１の筐体Ｌおよび第２の筐体Ｒは、可撓性を有する表示部１２２を
折り畳み可能に支持する。
【００８４】
また、第１の筐体Ｌは、第１の標識１２９（１）を第１の面に、第３の標識１２９（３）
を第２の面に備える。
【００８５】
また、第２の筐体Ｒは、第２の標識１２９（２）を第１の面に、第４の標識１２９（４）
を第２の面に備える。
【００８６】
本実施の形態で説明する情報処理装置１００は、展開および折り畳むことができる表示部
１２２並びにその状態を検知して折り畳み情報を供給することができる検知部１２３を備
える。これにより、一覧性に優れた情報処理装置を提供することができる。または、可搬
性に優れた情報処理装置を提供することができる。
【００８７】
また、本実施の形態で説明する情報処理装置１００は、第２の筐体Ｒが、第５の標識１２
９（５）を第１の面に、第６の標識１２９（６）を第２の面に備える。また、検知部１２
３が、第１の筐体Ｌの第１の面に近接する第６の標識１２９（６）並びに第１の筐体Ｌの
第２の面に近接する第５の標識１２９（５）を識別する。なお、検知部１２３は、センサ
１２３Ｕを含む。
【００８８】
本実施の形態で説明する情報処理装置１００は、表示部１２２の展開または折り畳まれた
状態を検知して折り畳み情報ＳＥＮＳを供給することができる。具体的には、情報処理装
置１００を展開された状態または１０種類の折り畳まれた状態にすることができ、検知部
はその状態毎に異なる折り畳み情報ＳＥＮＳを供給することができる。これにより、異な
る処理を実行させるプログラムを１１種類の状態毎に割り当てることができる。その結果
、折り畳む方法を変えることにより、簡単に多様な機能を選択して使用することができる
情報処理装置を提供できる。
【００８９】
情報処理装置１００の表示部１２２の２以上の異なる折り畳まれた状態を、図３を用いて
説明する。
【００９０】
検知部１２３は、センサ１２３Ｌを連結筐体Ｃに備え、センサ１２３Ｕを第１の筐体Ｌに
備える。なお、センサ１２３Ｌおよびセンサ１２３Ｕは、いずれも第１の面に近接する標
識１２９と第２の面に近接する標識１２９を識別することができる。
【００９１】
検知部１２３は、センサ１２３Ｌおよびセンサ１２３Ｕが供給する信号の組み合わせから
、表示部１２２の折り畳まれた状態を特定することができる折り畳み情報ＳＥＮＳを生成
して供給する。
【００９２】
なお、センサ１２３Ｌおよびセンサ１２３Ｕは、第１の面に標識１２９（ｘ）が近接し、
第２の面に標識１２９（ｙ）が近接した場合に、信号（ｘ，ｙ）を供給するものとする。
また、標識１２９が近接しない状態では信号（０，０）を供給するものとする。なお、こ
の表記は説明の便宜のためのものであり、信号の形式は近接する標識１２９が識別できる
ものであればこれに限定されない。
【００９３】
＜展開された状態＞
情報処理装置１００の連結筐体Ｃ、第１の筐体Ｌおよび第２の筐体Ｒが、展開された状態
を図３（Ａ−１）および図３（Ａ−２）に示す。なお、図３（Ａ−１）は第１の面（表面
ともいう）から見た模式図であり、図３（Ａ−２）は第１の面と対向する第２の面（裏面
ともいう）から見た模式図である。
【００９４】
なお、煩雑な図が発明の理解を妨げないように、図３（Ｂ−１）乃至図３（Ｆ−２）にお
いて、標識１２９（１）乃至標識１２９（６）、表示部１２２、センサ１２３Ｌおよびセ
ンサ１２３Ｕを省略する。これらの図は、図３（Ａ−１）および図３（Ａ−２）と対比し
て参照することにより、当業者であれば容易に理解することができる。
【００９５】
情報処理装置１００の連結筐体Ｃ、第１の筐体Ｌおよび第２の筐体Ｒが、展開された状態
において、センサ１２３Ｕおよびセンサ１２３Ｌはいずれの標識も検知しない。これによ
り、センサ１２３Ｕは信号（０，０）を供給し、センサ１２３Ｌは信号（０，０）を供給
する。
【００９６】
＜２つ折りにされた状態＞
情報処理装置１００の第１の筐体Ｌが第２の面に折り畳まれた場合、センサ１２３Ｌは、
第１の筐体Ｌの第２の面に配置された第３の標識１２９（３）を検知し、信号（０，３）
を供給する（図３（Ｂ−１）参照）。
【００９７】
情報処理装置１００の第１の筐体Ｌが第１の面に折り畳まれた場合、センサ１２３Ｌは、
第１の筐体Ｌの第１の面に配置された第１の標識１２９（１）を検知し、信号（１，０）
を供給する（図３（Ｂ−２）参照）。
【００９８】
情報処理装置１００の第２の筐体Ｒが第２の面に折り畳まれた場合、センサ１２３Ｌは、
第２の筐体Ｒの第２の面に配置された第４の標識１２９（４）を検知し、信号（０，４）
を供給する（図３（Ｃ−１）参照）。
【００９９】
情報処理装置１００の第２の筐体Ｒが第１の面に折り畳まれた場合、センサ１２３Ｌは、
第２の筐体Ｒの第１の面に配置された第２の標識１２９（２）を検知し、信号（２，０）
を供給する（図３（Ｃ−２）参照）。
【０１００】
なお、２つ折りの状態において、センサ１２３Ｕはいずれの標識も検知しない。これによ
り、センサ１２３Ｕは信号（０，０）を供給する。
【０１０１】
＜３つ折りにされた状態＞
情報処理装置１００の第１の筐体Ｌが第２の面に折り畳まれ、且つ第２の筐体Ｒが第１の
面に折り畳まれた場合、センサ１２３Ｌは、第１の筐体Ｌの第２の面に配置された第３の
標識１２９（３）および第２の筐体Ｒの第１の面に配置された第２の標識１２９（２）を
検知し、信号（２，３）を供給する（図３（Ｄ−１）参照）。
【０１０２】
なお、連結筐体Ｃは、第１の筐体Ｌに配置されたセンサ１２３Ｕと第２の筐体Ｒの第１の
面に配置された第５の標識１２９（５）の間にある。これにより、センサ１２３Ｕは信号
（０，０）を供給する。
【０１０３】
情報処理装置１００の第１の筐体Ｌが第１の面に折り畳まれ、且つ第２の筐体Ｒが第２の
面に折り畳まれた場合、センサ１２３Ｌは、第１の筐体Ｌの第１の面に配置された第１の
標識１２９（１）および第２の筐体Ｒの第２の面に配置された第４の標識１２９（４）を
検知し、信号（１，４）を供給する（図３（Ｄ−２）参照）。
【０１０４】
なお、連結筐体Ｃが、第１の筐体Ｌに配置されたセンサ１２３Ｕと第２の筐体Ｒの第２の
面に配置された第６の標識１２９（６）の間にある。これにより、センサ１２３Ｕは信号
（０，０）を供給する。
【０１０５】
情報処理装置１００の第１の筐体Ｌが第２の面に折り畳まれ、第１の筐体Ｌに重ねて第２
の筐体Ｒが第２の面に折り畳まれた場合、センサ１２３Ｌは、第１の筐体Ｌの第２の面に
配置された第３の標識１２９（３）を検知し、信号（０，３）を供給する（図３（Ｅ−１
）参照）。また、センサ１２３Ｕは、第２の筐体Ｒの第２の面に配置された第６の標識１
２９（６）を検知し、信号（６，０）を供給する。
【０１０６】
情報処理装置１００の第２の筐体Ｒが第２の面に折り畳まれ、第２の筐体Ｒに重ねて第１
の筐体Ｌが第２の面に折り畳まれた場合、センサ１２３Ｌは、第２の筐体Ｒの第２の面に
配置された第４の標識１２９（４）を検知し、信号（０，４）を供給する（図３（Ｅ−２
）参照）。また、センサ１２３Ｕは、第２の筐体Ｒの第１の面に配置された第５の標識１
２９（５）を検知し、信号（０，５）を供給する。
【０１０７】
情報処理装置１００の第１の筐体Ｌが第１の面に折り畳まれ、第１の筐体Ｌに重ねて第２
の筐体Ｒが第１の面に折り畳まれた場合、センサ１２３Ｌは、第１の筐体Ｌの第１の面に
配置された第１の標識１２９（１）を検知し、信号（１，０）を供給する（図３（Ｆ−１
）参照）。また、センサ１２３Ｕは、第２の筐体Ｒの第１の面に配置された第５の標識１
２９（５）を検知し、信号（０，５）を供給する。
【０１０８】
情報処理装置１００の第２の筐体Ｒが第１の面に折り畳まれ、第２の筐体Ｒに重ねて第１
の筐体Ｌが第１の面に折り畳まれた場合、センサ１２３Ｌは、第２の筐体Ｒの第１の面に
配置された第２の標識１２９（２）を検知し、信号（２，０）を供給する（図３（Ｆ−２
）参照）。また、センサ１２３Ｕは、第２の筐体Ｒの第２の面に配置された第６の標識１
２９（６）を検知し、信号（６，０）を供給する。
【０１０９】
なお、本実施の形態は、本明細書で示す他の実施の形態と適宜組み合わせることができる
。
【０１１０】
（実施の形態３）
本実施の形態では、本発明の一態様の情報処理装置２００の構成について、図４乃至図７
を参照しながら説明する。
【０１１１】
図４（Ａ）は、展開された状態の本発明の一態様の情報処理装置２００の構造を説明する
上面図であり、図４（Ｂ）はその側面図である。
【０１１２】
図５（Ａ）は、２つに折り畳まれた状態の本発明の一態様の情報処理装置２００の構造を
説明する上面図であり、図５（Ｂ）はその側面図である。また、図５（Ｃ）は、図５（Ａ
）とは異なる方法で２つに折り畳まれた本発明の一態様の情報処理装置２００の構造を説
明する上面図であり、図５（Ｄ）はその側面図である。
【０１１３】
図６（Ａ）は、図５（Ａ）と図５（Ｃ）とは異なる方法で２つに折り畳まれた本発明の一
態様の情報処理装置２００の構造を説明する上面図であり、図６（Ｂ）はその側面図であ
る。また、図６（Ｃ）は、図６（Ａ）とは異なる方法で２つに折り畳まれた本発明の一態
様の情報処理装置２００の構造を説明する上面図であり、図６（Ｄ）はその側面図である
。
【０１１４】
図７（Ａ−１）は、３つに折り畳まれた本発明の一態様の情報処理装置２００の構造を説
明する上面図であり、図７（Ａ−２）はその側面図である。
【０１１５】
図７（Ｂ−１）は、図７（Ａ−１）とは異なる方法で３つに折り畳まれた本発明の一態様
の情報処理装置２００の構造を説明する上面図であり、図７（Ｂ−２）はその側面図であ
る。
【０１１６】
図７（Ｃ−１）は、図７（Ａ−１）および図７（Ｂ−１）とは異なる方法で３つに折り畳
まれた本発明の一態様の情報処理装置２００の構造を説明する上面図であり、図７（Ｃ−
２）はその側面図である。
【０１１７】
本実施の形態で例示して説明する情報処理装置２００は、連結筐体Ｃを有する。連結筐体
Ｃは、近接する標識を識別するセンサ１２３Ｌを備える（図４（Ａ）参照）。
【０１１８】
情報処理装置２００は、第１の筐体Ｌを有する。第１の筐体Ｌは、連結筐体Ｃとリンク２
１１を介して連結されている。これにより、第１の筐体Ｌは、第１の面が連結筐体Ｃの第
１の面に向き合う位置から、第１の面に対向する第２の面が連結筐体Ｃの第２の面に向き
合う位置まで回動することができる（図４（Ｂ）参照）。その結果、情報処理装置２００
は折り畳むことができる。
【０１１９】
また、第１の筐体Ｌは、センサ１２３Ｕを備える。また、第１の筐体Ｌは、第１の標識１
２９（１）を第１の面に、第３の標識１２９（３）を第２の面に備える。
【０１２０】
情報処理装置２００は、第２の筐体Ｒを有する。第２の筐体Ｒは、連結筐体Ｃとリンク２
１２を介して連結されている。これにより、第２の筐体Ｒは、第１の面が連結筐体Ｃの第
１の面に向き合う位置から、第１の面に対向する第２の面が連結筐体Ｃの第２の面に向き
合う位置まで回動することができる。その結果、情報処理装置２００は折り畳むことがで
きる。
【０１２１】
また、第２の筐体Ｒは、第２の標識１２９（２）および第５の標識１２９（５）を第１の
面に、第４の標識１２９（４）および第６の標識１２９（６）を第２の面に備える。
【０１２２】
情報処理装置２００は、センサ１２３Ｌとセンサ１２３Ｕを含む検知部を備える。
【０１２３】
センサ１２３Ｌは、連結筐体Ｃの第１の面に近接する第１の標識１２９（１）および第２
の標識１２９（２）を識別し、第２の面に近接する第３の標識１２９（３）および第４の
標識１２９（４）を識別する。
【０１２４】
センサ１２３Ｕは、第１の筐体の第１の面に近接する第６の標識１２９（６）および第２
の面に近接する第５の標識１２９（５）を識別する。
【０１２５】
情報処理装置２００の連結筐体Ｃ、第１の筐体Ｌおよび第２の筐体Ｒは、可撓性を有する
表示部２２２を支持する。なお、図中の矢印は表示部２２２が画像を表示する方向を示す
。
【０１２６】
本実施の形態で説明する情報処理装置２００は、展開および折り畳むことができる表示部
２２２並びにその状態を検知して折り畳み情報を供給することができる検知部１２３を備
える。これにより、一覧性に優れた情報処理装置を提供することができる。または、可搬
性に優れた情報処理装置を提供することができる。
【０１２７】
＜展開された状態＞
情報処理装置２００の連結筐体Ｃ、第１の筐体Ｌおよび第２の筐体Ｒが、展開された状態
において、センサ１２３Ｕおよびセンサ１２３Ｌはいずれの標識も検知しない。これによ
り、センサ１２３Ｕは信号（０，０）を供給し、センサ１２３Ｌは信号（０，０）を供給
する（図４（Ａ）参照）。
【０１２８】
＜２つ折りにされた状態＞
情報処理装置２００の第１の筐体Ｌが第１の面に折り畳まれた場合、センサ１２３Ｌは、
第１の筐体Ｌの第１の面に配置された第１の標識１２９（１）を検知し、信号（０，１）
を供給する（図５（Ａ）および図５（Ｂ）参照）。
【０１２９】
情報処理装置２００は、図５（Ａ）および図５（Ｂ）に示すように、第１の筐体Ｌを第１
の面に折り畳み、第１の筐体Ｌの第２の面および第２の筐体Ｒの第１の面を使用者に向け
て使用することができる。
【０１３０】
なお、第１の筐体Ｌの第２の面に入力手段（例えばキーボード１２１Ｋ）を設けることが
できる（図５（Ａ）参照）。
【０１３１】
例えば、この状態に折り畳まれた場合に検知部が供給する折り畳み信号を、電子メールを
処理するアプリケーションに関連付けることができる。これにより、使用者は情報処理装
置２００を図５（Ａ）および図５（Ｂ）に示すように折り畳むことにより、電子メールを
処理することができる。具体的には、第２の筐体Ｒに支持された部分の表示部２２２を使
用しながら、文字情報等をキーボード１２１Ｋから入力することができる。また、第１の
筐体Ｌと連結筐体Ｃに支持された部分の表示部２２２の表示を停止して、消費電力を低減
することができる。
【０１３２】
情報処理装置２００の第１の筐体Ｌが第２の面に折り畳まれた場合、センサ１２３Ｌは、
第１の筐体Ｌの第２の面に配置された第３の標識１２９（３）を検知し、信号（０，３）
を供給する（図５（Ｃ）および図５（Ｄ）参照）。
【０１３３】
図５（Ｃ）および図５（Ｄ）に示すように第１の筐体Ｌを第２の面に折り畳むことにより
、情報処理装置２００を連結筐体Ｃおよび第２の筐体Ｒの第１の面を使用者に向けて使用
することができる。
【０１３４】
例えば、この状態に折り畳まれた場合に検知部が供給する折り畳み信号を、電子書籍の閲
覧をするためのアプリケーションに関連付けることができる。これにより、使用者は情報
処理装置２００を図５（Ｃ）および図５（Ｄ）に示すように折り畳むことにより、電子書
籍を閲覧することができる。
【０１３５】
また、この状態に折り畳まれた情報処理装置２００の表示部２２２のうち、第１の筐体Ｌ
に支持された部分は、使用者に向けられていないため、表示を停止することができる。こ
れにより、消費電力を低減することができる。
【０１３６】
表示部２２２の使用者に向けられていない部分にタッチパネルが重ねて設けられている場
合は、当該部分のタッチパネルを入力手段に用いてもよい。これにより、情報処理装置２
００を、使用者側にある親指と使用者に向けられていない側にある指で支持し、また操作
することができる。
【０１３７】
情報処理装置２００の第２の筐体Ｒが第１の面に折り畳まれた場合、センサ１２３Ｌは、
第２の筐体Ｒの第１の面に配置された第２の標識１２９（２）を検知し、信号（０，２）
を供給する（図６（Ａ）および図６（Ｂ）参照）。
【０１３８】
なお、第２の筐体Ｒの第２の面に入力手段（例えばコントロールボタン１２１Ｂ）を設け
ることができる（図６（Ａ）参照）。
【０１３９】
例えば、この状態に折り畳まれた場合に検知部が供給する折り畳み信号を、ゲームのアプ
リケーションに関連付けることができる。これにより、使用者は情報処理装置２００を図
６（Ａ）および図６（Ｂ）に示すように折り畳むことにより、ゲームをすることができる
。具体的には、第１の筐体Ｌに支持された部分の表示部２２２を使用しながら、キャラク
ター等の操作をコントロールボタン１２１Ｂから入力することができる。また、第２の筐
体Ｒと連結筐体Ｃに支持された部分の表示部２２２の表示を停止して、消費電力を低減す
ることができる。
【０１４０】
情報処理装置２００の第２の筐体Ｒが第１の面に折り畳まれた場合、センサ１２３Ｒは、
第２の筐体Ｒの第２の面に配置された第４の標識１２９（４）を検知し、信号（０，４）
を供給する（図６（Ｃ）および図６（Ｄ）参照）。
【０１４１】
例えば、この状態に折り畳まれた場合に検知部が供給する折り畳み信号を、インターネッ
トのウエブサイトを閲覧するためのアプリケーションに関連付けることができる。これに
より、使用者は情報処理装置２００を図６（Ｃ）および図６（Ｄ）に示すように折り畳む
ことにより、ウエブサイトを閲覧することができる。
【０１４２】
なお、図５に示すように折り畳まれた情報処理装置２００に割り当てるアプリケーション
と、図６に示すように折り畳まれた情報処理装置２００に割り当てるアプリケーションを
、使用者が選択できるようにしてもよい。例えば、使用者が右利きか、左利きかによって
、割り当てるアプリケーションを変えてもよい。
【０１４３】
＜３つ折りにされた状態＞
情報処理装置２００の第１の筐体Ｌが第２の面に折り畳まれ、第１の筐体Ｌに重ねて第２
の筐体Ｒが第２の面に折り畳まれた場合、センサ１２３Ｌは、第１の筐体Ｌの第２の面に
配置された第３の標識１２９（３）を検知し、信号（０，３）を供給する（図７（Ａ−１
）および図７（Ａ−２）参照）。また、図示されていないセンサ１２３Ｕは、第２の筐体
Ｒの第２の面に配置された第６の標識１２９（６）を検知し、信号（６，０）を供給する
。
【０１４４】
情報処理装置２００の第１の筐体Ｌが第２の面に折り畳まれ、且つ第２の筐体Ｒが第１の
面に折り畳まれた場合、センサ１２３Ｌは、第１の筐体Ｌの第２の面に配置された第３の
標識１２９（３）および第２の筐体Ｒの第１の面に配置された第２の標識１２９（２）を
検知し、信号（２，３）を供給する（図７（Ｂ−１）および図７（Ｂ−２）参照）。また
、図示されていないが、連結筐体Ｃが、第１の筐体Ｌに設けられたセンサ１２３Ｕと第２
の筐体Ｒの第１の面に設けられた第５の標識１２９（５）の間にある。これにより、セン
サ１２３Ｕは信号（０，０）を供給する。
【０１４５】
なお、第２の筐体Ｒの第２の面に入力手段（例えばカメラ１２１Ｃ）を設けることができ
る（図７（Ｂ−１）参照）。
【０１４６】
例えば、この状態に折り畳まれた場合に検知部が供給する折り畳み信号を、映像を取り込
むアプリケーションに関連付けることができる。これにより、使用者は情報処理装置２０
０を図７（Ｂ−１）および図７（Ｂ−２）に示すように折り畳むことにより、映像を取り
込むことができる。具体的には、第１の筐体Ｌに支持された部分の表示部２２２を使用し
ながら、映像をカメラ１２１Ｃから取り込むことができる。また、第２の筐体Ｒと連結筐
体Ｃに支持された部分の表示部２２２の表示を停止して、消費電力を低減することができ
る。
【０１４７】
情報処理装置２００の第２の筐体Ｒが第１の面に折り畳まれ、第２の筐体Ｒに重ねて第１
の筐体Ｌが第１の面に折り畳まれた場合、センサ１２３Ｌは、第２の筐体Ｒの第１の面に
配置された第２の標識１２９（２）を検知し、信号（２，０）を供給する（図７（Ｃ−１
）および図７（Ｃ−２）参照）。また、センサ１２３Ｕは、第２の筐体Ｒの第２の面に配
置された第６の標識１２９（６）を検知し、信号（６，０）を供給する。
【０１４８】
例えば、この状態に折り畳まれた場合に検知部が供給する折り畳み信号を、情報処理装置
を待機状態に移行させる命令と関連付けることができる。これにより、使用者は情報処理
装置２００を図７（Ｃ−１）および図７（Ｃ−２）に示すように折り畳むことにより、表
示部２２２の表示を停止して、消費電力を低減することができる。
【０１４９】
なお、本実施の形態は、本明細書で示す他の実施の形態と適宜組み合わせることができる
。
【０１５０】
（実施の形態４）
本実施の形態では、本発明の一態様の情報処理装置に適用することができる入出力装置の
構成について、図８を参照しながら説明する。
【０１５１】
図８（Ａ）は本発明の一態様の情報処理装置に適用可能な入出力装置の構造を説明する上
面図である。
【０１５２】
図８（Ｂ）は図８（Ａ）の切断線Ａ−Ｂおよび切断線Ｃ−Ｄにおける断面図である。
【０１５３】
図８（Ｃ）は図８（Ａ）の切断線Ｅ−Ｆにおける断面図である。
【０１５４】
＜上面図の説明＞
本実施の形態で例示する入出力装置３００は表示部３０１を有する（図８（Ａ）参照）。
【０１５５】
表示部３０１は、複数の画素３０２と複数の撮像画素３０８を備える。撮像画素３０８は
表示部３０１に触れる指等を検知することができる。これにより、撮像画素３０８を用い
てタッチセンサを構成することができる。
【０１５６】
画素３０２は、複数の副画素（例えば副画素３０２Ｒ）を備え、副画素は発光素子および
発光素子を駆動する電力を供給することができる画素回路を備える。
【０１５７】
画素回路は、選択信号を供給することができる配線および画像信号を供給することができ
る配線と、電気的に接続される。
【０１５８】
また、入出力装置３００は選択信号を画素３０２に供給することができる走査線駆動回路
３０３ｇ（１）と、画像信号を画素３０２に供給することができる画像信号線駆動回路３
０３ｓ（１）を備える。なお、折り曲げられる部分を避けて画像信号線駆動回路３０３ｓ
（１）を配置すると、不具合の発生を低減できる。
【０１５９】
撮像画素３０８は、光電変換素子および光電変換素子を駆動する撮像画素回路を備える。
【０１６０】
撮像画素回路は、制御信号を供給することができる配線および電源電位を供給することが
できる配線と電気的に接続される。
【０１６１】
制御信号としては、例えば記録された撮像信号を読み出す撮像画素回路を選択することが
できる信号、撮像画素回路を初期化することができる信号、および撮像画素回路が光を検
知する時間を決定することができる信号などを挙げることができる。
【０１６２】
入出力装置３００は制御信号を撮像画素３０８に供給することができる撮像画素駆動回路
３０３ｇ（２）と、撮像信号を読み出す撮像信号線駆動回路３０３ｓ（２）を備える。な
お、撮像信号線駆動回路３０３ｓ（２）を折り曲げられる部分を避けて配置すると、不具
合の発生を低減できる。
【０１６３】
＜断面図の説明＞
入出力装置３００は、基板３１０および基板３１０に対向する対向基板３７０を有する（
図８（Ｂ）参照）。
【０１６４】
基板３１０は、可撓性を有する基板３１０ｂ、意図しない不純物の発光素子への拡散を防
ぐバリア膜３１０ａおよび基板３１０ｂとバリア膜３１０ａを貼り合わせる接着層３１０
ｃが積層された積層体である。
【０１６５】
対向基板３７０は、可撓性を有する基板３７０ｂ、意図しない不純物の発光素子への拡散
を防ぐバリア膜３７０ａおよび基板３７０ｂとバリア膜３７０ａを貼り合わせる接着層３
７０ｃの積層体である（図８（Ｂ）参照）。
【０１６６】
封止材３６０は対向基板３７０と基板３１０を貼り合わせている。また、封止材３６０は
空気より大きい屈折率を備え、光学接合層を兼ねる。画素回路および発光素子（例えば第
１の発光素子３５０Ｒ）並びに撮像画素回路および光電変換素子（例えば光電変換素子３
０８ｐ）は基板３１０と対向基板３７０の間にある。
【０１６７】
《画素の構成》
画素３０２は、副画素３０２Ｒ、副画素３０２Ｇおよび副画素３０２Ｂを有する（図８（
Ｃ）参照）。また、副画素３０２Ｒは発光モジュール３８０Ｒを備え、副画素３０２Ｇは
発光モジュール３８０Ｇを備え、副画素３０２Ｂは発光モジュール３８０Ｂを備える。
【０１６８】
例えば副画素３０２Ｒは、第１の発光素子３５０Ｒおよび第１の発光素子３５０Ｒに電力
を供給することができるトランジスタ３０２ｔを含む画素回路を備える（図８（Ｂ）参照
）。また、発光モジュール３８０Ｒは第１の発光素子３５０Ｒおよび光学素子（例えば第
１の着色層３６７Ｒ）を備える。
【０１６９】
発光素子３５０Ｒは、第１の下部電極３５１Ｒ、上部電極３５２、下部電極３５１Ｒと上
部電極３５２の間に発光性の有機化合物を含む層３５３を有する（図８（Ｃ）参照）。
【０１７０】
発光性の有機化合物を含む層３５３は、発光ユニット３５３ａ、発光ユニット３５３ｂお
よび発光ユニット３５３ａと発光ユニット３５３ｂの間に中間層３５４を備える。
【０１７１】
発光モジュール３８０Ｒは、第１の着色層３６７Ｒを対向基板３７０に有する。着色層は
特定の波長を有する光を透過するものであればよく、例えば赤色、緑色または青色等を呈
する光を選択的に透過するものを用いることができる。または、発光素子の発する光をそ
のまま透過する領域を設けてもよい。
【０１７２】
例えば、発光モジュール３８０Ｒは、第１の発光素子３５０Ｒと第１の着色層３６７Ｒに
接する封止材３６０を有する。
【０１７３】
第１の着色層３６７Ｒは第１の発光素子３５０Ｒと重なる位置にある。これにより、発光
素子３５０Ｒが発する光の一部は、光学接合層を兼ねる封止材３６０および第１の着色層
３６７Ｒを透過して、図中の矢印に示すように発光モジュール３８０Ｒの外部に射出され
る。
【０１７４】
《入出力装置の構成》
入出力装置３００は、遮光層３６７ＢＭを対向基板３７０に有する。遮光層３６７ＢＭは
、着色層（例えば第１の着色層３６７Ｒ）を囲むように設けられている。
【０１７５】
入出力装置３００は、反射防止層３６７ｐを表示部３０１に重なる位置に備える。反射防
止層３６７ｐとして、例えば円偏光板を用いることができる。
【０１７６】
入出力装置３００は、絶縁膜３２１を備える。絶縁膜３２１はトランジスタ３０２ｔを覆
っている。なお、絶縁膜３２１は画素回路に起因する凹凸を平坦化するための層として用
いることができる。また、不純物のトランジスタ３０２ｔ等への拡散を抑制することがで
きる層が積層された絶縁膜を、絶縁膜３２１に適用することができる。
【０１７７】
入出力装置３００は、発光素子（例えば第１の発光素子３５０Ｒ）を絶縁膜３２１上に有
する。
【０１７８】
入出力装置３００は、第１の下部電極３５１Ｒの端部に重なる隔壁３２８を絶縁膜３２１
上に有する（図８（Ｃ）参照）。また、基板３１０と対向基板３７０の間隔を制御するス
ペーサ３２９を、隔壁３２８上に有する。
【０１７９】
《画像信号線駆動回路の構成》
画像信号線駆動回路３０３ｓ（１）は、トランジスタ３０３ｔおよび容量３０３ｃを含む
。なお、画像信号線駆動回路３０３ｓ（１）は画素回路と同一の工程で同一基板上に形成
することができる。
【０１８０】
《撮像画素の構成》
撮像画素３０８は、光電変換素子３０８ｐおよび光電変換素子３０８ｐに照射された光を
検知するための撮像画素回路を備える。また、撮像画素回路は、トランジスタ３０８ｔを
含む。
【０１８１】
例えばｐｉｎ型のフォトダイオードを光電変換素子３０８ｐに用いることができる。
【０１８２】
《他の構成》
入出力装置３００は、信号を供給することができる配線３１１を備え、端子３１９が配線
３１１に設けられている。なお、画像信号および同期信号等の信号を供給することができ
るＦＰＣ３０９（１）が端子３１９に電気的に接続されている。また、好ましくは、入出
力装置３００の折り曲げられる部分を避けてＦＰＣ３０９（１）を配置する。また、表示
部３０１を囲む領域から選ばれた一辺、特に折り畳まれる辺（図では長い辺）のおよそ中
央にＦＰＣ３０９（１）を配置すると好ましい。これにより、入出力装置３００と入出力
装置３００を駆動する外部回路の距離を短くすることができ、接続が容易になる。また、
外部回路の重心を入出力装置３００の重心におよそ一致させることができる。その結果、
情報処理装置の取り扱いが容易になり、誤って落としてしまう等の不具合の発生を予防す
ることができる。
【０１８３】
なお、ＦＰＣ３０９（１）にはプリント配線基板（ＰＷＢ）が取り付けられていても良い
。
【０１８４】
なお、本実施の形態は、本明細書で示す他の実施の形態と適宜組み合わせることができる
。
【０１８５】
（実施の形態５）
本実施の形態では、入力手段としてタッチセンサ（接触検出装置）が表示部に重ねて設け
られ、折り曲げることができるタッチパネルの構成について、図９及び図１０を参照しな
がら説明する。
【０１８６】
図９（Ａ）は、本実施の形態で例示するタッチパネル５００の斜視概略図である。なお明
瞭化のため、代表的な構成要素を図９に示す。図９（Ｂ）は、タッチパネル５００を展開
した斜視概略図である。
【０１８７】
図１０は、図９（Ａ）に示すタッチパネル５００のＸ１−Ｘ２における断面図である。
【０１８８】
タッチパネル５００は、表示部５０１とタッチセンサ５９５を備える（図９（Ｂ）参照）
。また、タッチパネル５００は、基板５１０、基板５７０および基板５９０を有する。な
お、基板５１０、基板５７０および基板５９０はいずれも可撓性を有する。
【０１８９】
表示部５０１は、基板５１０、基板５１０上に複数の画素および画素に信号を供給するこ
とができる複数の配線５１１を備える。複数の配線５１１は、基板５１０の外周部にまで
引き回され、その一部が端子５１９を構成している。端子５１９はＦＰＣ５０９（１）と
電気的に接続する。
【０１９０】
＜タッチセンサ＞
基板５９０には、タッチセンサ５９５と、タッチセンサ５９５と電気的に接続する複数の
配線５９８を備える。複数の配線５９８は基板５９０の外周部に引き回され、その一部が
ＦＰＣ５０９（２）と電気的に接続するための端子を構成している。なお、図９（Ｂ）で
は明瞭化のため、基板５９０の裏面側（紙面奥側）に設けられるタッチセンサ５９５の電
極や配線等を実線で示している。
【０１９１】
タッチセンサ５９５に用いるタッチセンサとしては、静電容量方式のタッチセンサが好ま
しい。静電容量方式としては、表面型静電容量方式、投影型静電容量方式等があり、投影
型静電容量方式としては、主に駆動方式の違いから自己容量方式、相互容量方式などがあ
る。相互容量方式を用いると同時多点検出が可能となるため好ましい。
【０１９２】
以下では、投影型静電容量方式のタッチセンサを適用する場合について、図９（Ｂ）を用
いて説明するが、指等の検知対象の近接または接触を検知することができるさまざまなセ
ンサを適用することができる。
【０１９３】
投影型静電容量方式のタッチセンサ５９５は、電極５９１と電極５９２を有する。電極５
９１は複数の配線５９８のいずれかと電気的に接続し、電極５９２は複数の配線５９８の
他のいずれかと電気的に接続する。
【０１９４】
電極５９２は、図９（Ａ）、（Ｂ）に示すように、複数の四辺形が一方向に連続した形状
を有する。また、電極５９１は四辺形である。配線５９４は、電極５９２が延在する方向
と交差する方向に並んだ二つの電極５９１を電気的に接続している。このとき、電極５９
２と配線５９４の交差部の面積ができるだけ小さくなる形状が好ましい。これにより、電
極が設けられていない領域の面積を低減でき、透過率のムラを低減できる。その結果、タ
ッチセンサ５９５を透過する光の輝度ムラを低減することができる。
【０１９５】
なお、電極５９１、電極５９２の形状はこれに限られず、様々な形状を取りうる。例えば
、複数の電極５９１をできるだけ隙間が生じないように配置し、絶縁層を介して電極５９
２を、電極５９１と重ならない領域ができるように離間して複数設ける構成としてもよい
。このとき、隣接する２つの電極５９２の間に、これらとは電気的に絶縁されたダミー電
極を設けると、透過率の異なる領域の面積を低減できるため好ましい。
【０１９６】
タッチパネル５００の構成を、図１０を用いて説明する。
【０１９７】
タッチセンサ５９５は、基板５９０、基板５９０上に千鳥状に配置された電極５９１及び
電極５９２、電極５９１及び電極５９２を覆う絶縁層５９３並びに隣り合う電極５９１を
電気的に接続する配線５９４を備える。
【０１９８】
接着層５９７は、タッチセンサ５９５と表示部５０１が重なるように基板５９０と基板５
７０を貼り合わせている。
【０１９９】
電極５９１及び電極５９２は、透光性を有する導電材料を用いて形成する。透光性を有す
る導電性材料としては、酸化インジウム、インジウム錫酸化物、インジウム亜鉛酸化物、
酸化亜鉛、ガリウムを添加した酸化亜鉛などの導電性酸化物を用いることができる。
【０２００】
透光性を有する導電性材料を基板５９０上にスパッタリング法により成膜した後、フォト
リソグラフィ法等の公知のパターニング技術により、不要な部分を除去して、電極５９１
及び電極５９２を形成することができる。
【０２０１】
また、絶縁層５９３は電極５９１及び電極５９２を覆う。絶縁層５９３に用いる材料とし
ては、例えば、アクリル、エポキシなどの樹脂、シロキサン結合を有する樹脂の他、酸化
シリコン、酸化窒化シリコン、酸化アルミニウムなどの無機絶縁材料を用いることもでき
る。
【０２０２】
また、電極５９１に達する開口が絶縁層５９３に設けられ、配線５９４が隣接する電極５
９１を電気的に接続する。透光性の導電性材料を用いて形成された配線５９４は、タッチ
パネルの開口率を高まることができるため好ましい。また、電極５９１及び電極５９２よ
り導電性の高い材料を配線５９４に用いることが好ましい。
【０２０３】
一の電極５９２は一方向に延在し、複数の電極５９２がストライプ状に設けられている。
【０２０４】
配線５９４は電極５９２と交差して設けられている。
【０２０５】
一対の電極５９１が一の電極５９２を挟んで設けられ、配線５９４に電気的に接続されて
いる。
【０２０６】
なお、複数の電極５９１は、一の電極５９２と必ずしも直交する方向に配置される必要は
なく、９０度未満の角度をなすように配置されてもよい。
【０２０７】
一の配線５９８は、電極５９１又は電極５９２と電気的に接続される。配線５９８の一部
は、端子として機能する。配線５９８としては、例えば、アルミニウム、金、白金、銀、
ニッケル、チタン、タングステン、クロム、モリブデン、鉄、コバルト、銅、又はパラジ
ウム等の金属材料や、該金属材料を含む合金材料を用いることができる。
【０２０８】
なお、絶縁層５９３及び配線５９４を覆う絶縁層を設けて、タッチセンサ５９５を保護す
ることができる。
【０２０９】
また、接続層５９９は、配線５９８とＦＰＣ５０９（２）を電気的に接続する。
【０２１０】
接続層５９９としては、公知の異方性導電フィルム（ＡＣＦ：Ａｎｉｓｏｔｒｏｐｉｃ  
Ｃｏｎｄｕｃｔｉｖｅ  Ｆｉｌｍ）や、異方性導電ペースト（ＡＣＰ：Ａｎｉｓｏｔｒｏ
ｐｉｃ  Ｃｏｎｄｕｃｔｉｖｅ  Ｐａｓｔｅ）などを用いることができる。
【０２１１】
接着層５９７は、透光性を有する。例えば、熱硬化性樹脂や紫外線硬化樹脂を用いること
ができ、具体的には、アクリル、ウレタン、エポキシ、またはシロキサン結合を有する樹
脂などの樹脂を用いることができる。
【０２１２】
＜表示部＞
タッチパネル５００は、マトリクス状に配置された複数の画素を備える。画素は表示素子
と表示素子を駆動する画素回路を備える。
【０２１３】
本実施の形態では、白色の有機エレクトロルミネッセンス素子を表示素子に適用する場合
について説明するが、表示素子はこれに限られない。
【０２１４】
例えば、表示素子として、有機エレクトロルミネッセンス素子の他、電気泳動方式や電子
粉流体方式などにより表示を行う表示素子（電子インクともいう）、シャッター方式のＭ
ＥＭＳ表示素子、光干渉方式のＭＥＭＳ表示素子など、様々な表示素子を用いることがで
きる。なお、適用する表示素子に好適な構成を、公知の画素回路から選択して用いること
ができる。
【０２１５】
基板５１０は、可撓性を有する基板５１０ｂ、意図しない不純物の発光素子への拡散を防
ぐバリア膜５１０ａおよび基板５１０ｂとバリア膜５１０ａを貼り合わせる接着層５１０
ｃが積層された積層体である。
【０２１６】
基板５７０は、可撓性を有する基板５７０ｂ、意図しない不純物の発光素子への拡散を防
ぐバリア膜５７０ａおよび基板５７０ｂとバリア膜５７０ａを貼り合わせる接着層５７０
ｃの積層体である。
【０２１７】
封止材５６０は基板５７０と基板５１０を貼り合わせている。また、封止材５６０は空気
より大きい屈折率を備え、光学接合層を兼ねる。画素回路および発光素子（例えば第１の
発光素子５５０Ｒ）は基板５１０と基板５７０の間にある。
【０２１８】
《画素の構成》
画素は、副画素５０２Ｒを含み、副画素５０２Ｒは発光モジュール５８０Ｒを備える。
【０２１９】
副画素５０２Ｒは、第１の発光素子５５０Ｒおよび第１の発光素子５５０Ｒに電力を供給
することができるトランジスタ５０２ｔを含む画素回路を備える。また、発光モジュール
５８０Ｒは第１の発光素子５５０Ｒおよび光学素子（例えば第１の着色層５６７Ｒ）を備
える。
【０２２０】
発光素子５５０Ｒは、下部電極、上部電極、下部電極と上部電極の間に発光性の有機化合
物を含む層を有する。
【０２２１】
発光モジュール５８０Ｒは、第１の着色層５６７Ｒを基板５７０に有する。着色層は特定
の波長を有する光を透過するものであればよく、例えば赤色、緑色または青色等を呈する
光を選択的に透過するものを用いることができる。または、発光素子の発する光をそのま
ま透過する領域を設けてもよい。
【０２２２】
発光モジュール５８０Ｒは、第１の発光素子５５０Ｒと第１の着色層５６７Ｒに接する封
止材５６０を有する。
【０２２３】
第１の着色層５６７Ｒは第１の発光素子５５０Ｒと重なる位置にある。これにより、発光
素子５５０Ｒが発する光の一部は、光学接合層を兼ねる封止材５６０および第１の着色層
５６７Ｒを透過して、図中の矢印に示すように発光モジュール５８０Ｒの外部に射出され
る。
【０２２４】
《表示部の構成》
表示部５０１は、遮光層５６７ＢＭを基板５７０に有する。遮光層５６７ＢＭは、着色層
（例えば第１の着色層５６７Ｒ）を囲むように設けられている。
【０２２５】
表示部５０１は、反射防止層５６７ｐを画素に重なる位置に備える。反射防止層５６７ｐ
として、例えば円偏光板を用いることができる。
【０２２６】
表示部５０１は、絶縁膜５２１を備える。絶縁膜５２１はトランジスタ５０２ｔを覆って
いる。なお、絶縁膜５２１は画素回路に起因する凹凸を平坦化するための層として用いる
ことができる。また、不純物のトランジスタ５０２ｔ等への拡散を抑制することができる
層が積層された絶縁膜を、絶縁膜５２１に適用することができる。
【０２２７】
表示部５０１は、発光素子（例えば第１の発光素子５５０Ｒ）を絶縁膜５２１上に有する
。
【０２２８】
表示部５０１は、第１の下部電極の端部に重なる隔壁５２８を絶縁膜５２１上に有する。
また、基板５１０と基板５７０の間隔を制御するスペーサを、隔壁５２８上に有する。
【０２２９】
《画像信号線駆動回路の構成》
画像信号線駆動回路５０３ｓ（１）は、トランジスタ５０３ｔおよび容量５０３ｃを含む
。なお、画像信号線駆動回路５０３ｓ（１）は画素回路と同一の工程で同一基板上に形成
することができる。
【０２３０】
《他の構成》
表示部５０１は、信号を供給することができる配線５１１を備え、端子５１９が配線５１
１に設けられている。なお、画像信号および同期信号等の信号を供給することができるＦ
ＰＣ５０９（１）が端子５１９に電気的に接続されている。
【０２３１】
なお、ＦＰＣ５０９（１）にはプリント配線基板（ＰＷＢ）が取り付けられていても良い
。
【０２３２】
なお、本実施の形態は、本明細書で示す他の実施の形態と適宜組み合わせることができる
。
【符号の説明】
【０２３３】
１００    情報処理装置
１１０    演算装置
１１１    演算部
１１２    記憶部
１１４    伝送路
１１５    入出力インターフェース
１２０    入出力装置
１２１    入力手段
１２１Ｂ    コントロールボタン
１２１Ｃ    カメラ
１２１Ｋ    キーボード
１２２    表示部
１２３    検知部
１２３Ｌ    センサ
１２３Ｒ    センサ
１２３Ｕ    センサ
１２５    通信部
１２９    標識
２００    情報処理装置
２１１    リンク
２１２    リンク
２２２    表示部
３００    入出力装置
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０８    撮像画素
３０８ｐ    光電変換素子
３０８ｔ    トランジスタ
３０９    ＦＰＣ
３１０    基板
３１０ａ    バリア膜
３１０ｂ    基板
３１０ｃ    接着層
３１１    配線
３１９    端子
３２１    絶縁膜
３２８    隔壁
３２９    スペーサ
３５０Ｒ    発光素子
３５１Ｒ    下部電極
３５２    上部電極
３５３    層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基板
３７０ｃ    接着層
３８０Ｂ    発光モジュール
３８０Ｇ    発光モジュール
３８０Ｒ    発光モジュール
５００    タッチパネル
５０１    表示部
５０２Ｒ    副画素
５０２ｔ    トランジスタ
５０３ｃ    容量
５０３ｓ    画像信号線駆動回路
５０３ｔ    トランジスタ
５０９    ＦＰＣ
５１０    基板
５１０ａ    バリア膜
５１０ｂ    基板
５１０ｃ    接着層
５１１    配線
５１９    端子
５２１    絶縁膜
５２８    隔壁
５５０Ｒ    発光素子
５６０    封止材
５６７ＢＭ    遮光層
５６７ｐ    反射防止層
５６７Ｒ    着色層
５７０    基板
５７０ａ    バリア膜
５７０ｂ    基板
５７０ｃ    接着層
５８０Ｒ    発光モジュール
５９０    基板
５９１    電極
５９２    電極
５９３    絶縁層
５９４    配線
５９５    タッチセンサ
５９７    接着層
５９８    配線
５９９    接続層
Ｃ    連結筐体
Ｌ    第１の筐体
Ｒ    第２の筐体
【図１】
2019175480.tif 000003
【図２】
2019175480.tif 000004
【図３】
2019175480.tif 000005
【図４】
2019175480.tif 000006
【図５】
2019175480.tif 000007
【図６】
2019175480.tif 000008
【図７】
2019175480.tif 000009
【図８】
2019175480.tif 000010
【図９】
2019175480.tif 000011
【図１０】
2019175480.tif 000012